(57)【特許請求の範囲】
【請求項１】
粒体入り飲料を内容物とする缶体であって、
高さ方向に延びる円筒状の胴部と、該胴部の上部開放端に巻締部を介して巻締められた天蓋と、前記天蓋の少なくとも前記胴部の外周寄りに形成される飲み口とを備え、
前記胴部は、上半部の所定領域に前記胴部の全周に亘って形成された括れ部と、前記括れ部と前記巻締部との間に前記括れ部に連続して形成されて、前記巻締部の外径より大であり且つ前記胴部の最大径と同等以下とされた上端大径部とを備え、
前記上端大径部の上下方向幅の寸法は、前記巻締部の上下方向幅の寸法より大とされていることを特徴とする缶体。
【請求項２】
前記括れ部は、前記天蓋に向って次第に縮径する第１テーパ部と、前記第１テーパ部による前記括れ部の最小径部を介して前記第１テーパ部から連続して前記天蓋に向って次第に拡径する第２テーパ部とを備え、
前記第１テーパ部の上下方向幅の寸法は前記第２テーパ部の上下方向幅の寸法より大であることを特徴とする請求項１記載の缶体。
【発明の詳細な説明】
【技術分野】
【０００１】
本発明は、粒体入り飲料を内容物とする缶体に関する。
【背景技術】
【０００２】
飲料を内容物とする缶体は、高さ方向に延びる円筒状の胴部と、該胴部の上部開放端に巻締部を介して巻締められた天蓋と、前記天蓋の少なくとも前記胴部の外周寄りに形成される飲み口とを備えている。
【０００３】
そして、この種の缶体においては、粒体入り飲料を内容物とする場合がある。粒体入り飲料としては、コーンの粒入りスープ、小豆の粒入りしるこ、果肉入り飲料等を挙げることができる。
【０００４】
しかし、粒体が含有された飲料を飲み口から流出させると、胴部内部側における飲み口と巻締部との間の天蓋に粒体の移動が阻まれ、天蓋裏面に粒体が溜まった状態で残存する。このため、缶体内の飲料の液体部分を飲み干しても、液体が出きった後に粒体が天蓋裏面に残ってしまうということが生じていた。
【０００５】
そこで、胴部の一部を天蓋に向って次第に縮径させることにより、胴部内部に傾斜を形成した缶体が知られている（下記特許文献１参照）。これによると、飲料の液体部分と共に流出する粒体が飲み口と巻締部との間の天蓋を飛び越えるように案内され、胴部内部における粒体の残存量を少なくすることができる。
【先行技術文献】
【特許文献】
【０００６】
【特許文献１】特開２００７−１５３４４１号公報（第１３図、第１４図）
【発明の概要】
【発明が解決しようとする課題】
【０００７】
しかし、上記従来の缶体は、胴部の最小径部が胴部側の巻締部の近傍に形成されるために巻締部に沿って段差が形成される。この段差によって、例えば、缶体の搬送中に転倒するおそれがある。
【０００８】
即ち、例えば、缶体が起立姿勢の配列状態でコンベヤにより搬送されているとき、搬送中の振動等により隣り合う缶体同士が接触して一方の缶体が隣接する他方の缶体に倒れかかると、一方の缶体の巻締部の上縁が他方の缶体の段差に入り込むようにして引っ掛かり、一方の缶体が姿勢を戻すことができず、搬送中に転倒するおそれがある。
【０００９】
また、胴部が飲み口に向って次第に縮径するテーパ状であるために、飲用時に胴部を把持したとき、缶体が手から滑り落ちるおそれがある。特に、粒体入り飲料を飲むときには、缶体の上部位置（飲み口側の胴部）を把持した状態で缶体の底部側を左右に振ったり回したりして缶体内部の粒体を攪拌することが行われるが、この際に、缶体が滑って手指から落下するおそれがある。
【００１０】
上記の点に鑑み、本発明は、粒体入り飲料を飲み口から円滑に流出させることができるだけでなく、搬送中の転倒を防止でき、更に、飲用時に安定して把持することができる缶体を提供することを目的とする。
【課題を解決するための手段】
【００１１】
かかる目的を達成するために、本発明は、粒体入り飲料を内容物とする缶体であって、高さ方向に延びる円筒状の胴部と、該胴部の上部開放端に巻締部を介して巻締められた天蓋と、前記天蓋の少なくとも前記胴部の外周寄りに形成される飲み口とを備え、前記胴部は、上半部の所定領域に前記胴部の全周に亘って形成された括れ部と、前記括れ部と前記巻締部との間に前記括れ部に連続して形成されて、前記巻締部の外径より大であり且つ前記胴部の最大径と同等以下とされた上端大径部とを備え、前記上端大径部の上下方向幅の寸法は、前記巻締部の上下方向幅の寸法より大とされていることを特徴とする。
【００１２】
本発明の缶体は、胴部に設けた括れ部によって、胴部の内側からみて隆起する部分を形成し、その隆起する部分を飲料が乗り越えるときの勢いで、粒体を飲み口に案内する。これにより、飲み口と巻締部との間の天蓋への粒体の接触が少なくなり、胴部内部における粒体の残存量を少なくすることができる。
【００１３】
更に、本発明の缶体は、胴部に設けた上端大径部によって、胴部の内側からみて溝状の部分を天蓋の内周に沿って形成し、飲用時に飲み口側に缶体を倒したときに、溝状の部分に沿って粒体を飲み口に案内することができる。これによれば、飲み口に向かう飲料及び粒体に勢いがつくと共に、括れ部による隆起部分を乗り越えた飲料及び粒体による勢いが加わって、飲み口から流出する方向へ一層強い流れを形成することができるので、粒体の残存量を飛躍的に少なくすることができる。
【００１４】
しかも、本発明の缶体は、巻締部と括れ部との間に上端大径部が設けられており、この上端大径部の上下方向幅の寸法は、前記巻締部の上下方向幅の寸法より大とされているので、巻締部と括れ部との間の距離が比較的大きい。これによれば、例えば、缶体の搬送中の振動等により隣り合う缶体同士が接触しても、缶体の転倒を抑制することができる。
【００１５】
即ち、缶体が起立姿勢で配列コンベヤ等で搬送されているとき、搬送中の振動等により隣り合う缶体同士が接触して一方の缶体が隣接する他方の缶体に倒れかかろうとしても、両缶体の上端大径部同士が接触することによって相互に起立姿勢が維持される。よって、一方の缶体の巻締部の上縁は、他方の缶体の括れ部に極めて入り難く、缶体の搬送中に転倒することが少なくなる。
【００１６】
更に、缶体内の粒体入り飲料を飲用するとき、胴部の括れ部を把持することにより、上端大径部によって把持状態が安定し、飲用中に缶体が手指から滑り落ちることを防止することができる。特に、本発明の缶体は、上端大径部が巻締部の外径より大であることで、括れ部を確実に把持することができる形状とし、上端大径部が前記胴部の最大径と同等以下とされているので、上端大径部の缶体外方への張り出し量が抑えられていて外観が良好である。
【００１７】
このように、本発明によれば、粒体入り飲料を飲み口から円滑に流出させることができるだけでなく、搬送中の転倒を防止でき、更に、飲用時に安定して把持することができる缶体を提供することができる。
【００１８】
また、本発明において、前記括れ部は、前記天蓋に向って次第に縮径する第１テーパ部と、前記第１テーパ部による前記括れ部の最小径部を介して前記第１テーパ部から連続して前記天蓋に向って次第に拡径する第２テーパ部とを備え、前記第１テーパ部の上下方向幅の寸法は前記第２テーパ部の上下方向幅の寸法より大であることを特徴とする。
【００１９】
飲用時に缶体を飲み口側に倒すと、飲料及び粒体は、括れ部の第１テーパ部を流れ、第２テーパ部を飛び越えるようにして飲み口に向かう。このとき、第１テーパ部の上下方向幅の寸法が第２テーパ部より大きいので、括れ部が比較的深くても（胴部内部では隆起が大きくても）飲み口に向かう飲料及び粒体の流れが円滑に形成され、十分に勢いが付与された飲料及び粒体の流れを形成することができる。よって、飲料及び粒体が第２テーパ部及び前記上端大径部を確実に飛び越えるように流れるので、胴部内部における粒体の残存量を一層少なくすることができる。
【図面の簡単な説明】
【００２０】
【図１】本発明の実施形態による缶体の外観を示す斜視図。
【図２】本実施形態の缶体の縦断面図。
【図３】缶体内部における粒体入り飲料の流れを示す説明図。
【発明を実施するための形態】
【００２１】
本発明の一実施形態を図面に基づいて説明する。本実施形態の缶体１は一般に３ピース缶と言われるものであり、図１に示すように、円筒状の胴部２を備えている。胴部２は、図示しないが、矩形状のブランクを円筒状に丸めて端縁同士を溶接することによって形成されている。
【００２２】
胴部２の上部開放端（図示されない）には、上部巻締部３により天蓋４が巻締られている。胴部２の下部開放端（図示されない）には、下部巻締部５により底蓋６が巻締られている。
【００２３】
缶体１は、その内部に、飲料が充填されて密封されており、天蓋４の一方向の外周寄りに設けられた破断開口部７を破断して飲み口８（図３等参照）を形成する。缶体１の内容物となる飲料は、粒体入り飲料であり、例えば、コーンの粒入りスープ、小豆の粒入りしるこ、果肉入り飲料等である。
【００２４】
図１に示すように、胴部２には、胴部２の上半部のうちの所定領域の周壁を凹入することにより縮径加工された括れ部９が形成されている。また、括れ部９の下部側に隣接する部分は下部未加工部１０とされ、括れ部９の上部側に隣接する部分には上端大径部１１が形成されている。
【００２５】
図２に示すように、括れ部９は、下部未加工部１０の上端から上方に向かって次第に縮径する第１テーパ部９ａと、第１テーパ部９ａの上端となる最小径部９ｂから次第に拡径して上端大径部１１の下端に至る第２テーパ部９ｃとにより構成されている。第１テーパ部９ａの上下方向幅の寸法Ｌａは第２テーパ部９ｃの上下方向幅の寸法Ｌｂより大とされている。
【００２６】
上端大径部１１は、第２テーパ部９ｃの上端から連続して形成され、一定の外径を維持して上方に延びている。本実施形態において、下部未加工部１０の外径は胴部２の最大径と同等となっている。上端大径部１１の外径は、下部未加工部１０の外径と同等とされている。よって、上端大径部１１の外径も、胴部２の最大径と同等である。上端大径部１１の上下方向幅の寸法Ｌｃは、上部巻締部３の上下方向幅の寸法Ｌｄより大とされている。
【００２７】
上端大径部１１の上部には、天蓋４の小径化のために胴部の上端外径を小とするためのネックイン部１２が連続して形成されその上部に隣接して前記上部巻締部３が形成されている。
【００２８】
本実施形態の缶体１は、上記の構成により、胴部２に括れ部９が形成されている。括れ部９は、胴部２の内部から見て隆起する部分を形成している。缶体１の内容物である粒体入り飲料を飲む場合には、先ず、飲み口８を形成してから缶体を飲み口側に倒す。
【００２９】
これによって、粒体入り飲料が底蓋６側から天蓋４側に向って流動し、図３に示すように、天蓋４の飲み口８に向かう途中で括れ部９により隆起した部分を乗り越える。
【００３０】
粒体入り飲料は、隆起した部分を乗り越えるときに勢いが付き、飲み口８と上部巻締部３との間の天蓋４への粒体の接触が少ない状態で飲み口８から流出する。これにより、胴部２の内部に残留する粒体を少量とすることができる。
【００３１】
更に、上端大径部１１は胴部２の内部からみて天蓋４に沿った環状の溝となる。この溝は、上端大径部１１の幅寸法Ｌｃであるので比較的大きい。これにより、飲用時に飲み口８側に缶体１を倒すと、図３に示すように、粒体入り飲料が上端大径部１１による溝に沿って周方向に流れ、飲み口８に向かう。そして、括れ部９による隆起部分を乗り越えた粒体入り飲料の勢いに、上端大径部１１による溝に案内された粒体入り飲料の勢いが加わり、飲み口８の近傍で激しく攪拌されて粒体入り飲料が飲み口８から流出するので、缶体１内部に残る粒体の量を飛躍的に少なくすることができる。
【００３２】
また、図２に示すように、第１テーパ部９ａの上下方向幅の寸法Ｌａが第２テーパ部９ｃより大きいことにより、括れ部９を比較的深くしても、第１テーパ部９ａが比較的緩やかに縮径して飲み口８に向かう粒体入り飲料が括れ部９による隆起部分を容易に乗り越え、粒体入り飲料をその流れの勢いが衰えることなく飲み口８から流出させることができる。
【００３３】
なお、括れ部９を比較的深くすることで、飲用時の胴部２が持ち易くなり、胴部２のデザイン性も向上する。飲用時の胴部２の持ち易さについては、上端大径部１１が設けられていることにより更に向上する。
【００３４】
即ち、上端大径部１１が上部巻締部３より外径が大きいことで、括れ部９を把持したときの指が上端大径部１１に掛かり易く、飲用中に缶体１が手指から滑り落ちることを確実に防止することができる。しかも、粒体入り飲料を飲むときには、把持した缶体１を、その底蓋６側を回すようにして軽く振って攪拌することが行われるが、この時にも、上端大径部１１によって安定した把持状態を維持することができる。
【００３５】
更に、上端大径部１１は、胴部２の最大径と同等（以下でもよい）とされているので、上端大径部１１の缶体１外方への張り出し量が抑えられており、良好な外観を有している。
【００３６】
また、本実施形態の缶体１は、例えば、缶体１がコンベヤ等で搬送されているときの振動等により隣り合う缶体同士が接触しても、上端大径部１１によって転倒することが抑制されている。即ち、図示しないが、搬送中の振動等により隣り合う缶体１同士が接触し、一方の缶体１が隣接する他方の缶体１に倒れかかろうとしても、両缶体１の上端大径部１１同士が互いに当接して支え合う。よって、搬送中の缶体１は、起立姿勢を安定的に維持することができる。
【符号の説明】
【００３７】
１…缶体、２…胴部、３…上部巻締部（巻締部）、４…天蓋、８…飲み口、９…括れ部、９ａ…第１テーパ部、９ｂ…最小径部、９ｃ…第２テーパ部、１１…上端大径部。
【図１】
0006684160.tif 000002
【図２】
0006684160.tif 000003
【図３】
0006684160.tif 000004